(57)【要約】【課題】浴槽の一部を床面に設置したまま、浴槽を浴室壁面に取り付ける施工を行うことができ、この施工を行うためのスペースも十分に確保することができて、取付性が向上した浴槽取付構造を提案すること。【解決手段】浴室壁面１に固定した係止具２に、浴槽フランジ３０の裏側に取り付けた浴槽取付具４を差し込んで係止させる。係止具２は、浴室壁面１との間に差込用隙間５が形成される取付具押さえ部２０を備える。浴槽取付具４は、浴槽フランジ３０の裏側に取り付ける取付部４０と、係止具２が差し込まれるように下方に開口した差込溝を備える。さらに、取付具押さえ部２０に弾接する係止具弾接部４２と、浴室壁面１に弾接する壁面弾接部４３を備える。そして壁面弾接部４３を係止具弾接部４２の下方に連続させて設け、係止具弾接部４２を、壁面弾接部４３より浴槽側に突出させて設ける。【選択図】図１
2012130485.tif 000002
【特許請求の範囲】
【請求項１】
浴室壁面に固定した係止具に、浴槽フランジの裏側に取り付けた浴槽取付具を差し込んで係止させる浴槽取付構造であって、
前記係止具は、固定される前記浴室壁面との間に前記浴槽取付具を差し込むための差込用隙間が形成される取付具押さえ部を備え、
前記浴槽取付具は、前記浴槽フランジの前記裏側に取り付ける取付部と、前記係止具が差し込まれるように下方に開口した差込溝と、前記係止具の前記取付具押さえ部に弾接する係止具弾接部と、前記浴室壁面に弾接する壁面弾接部と、を備え、
前記壁面弾接部を、前記係止具弾接部の下方に連続させて設け、
前記係止具弾接部を、前記壁面弾接部よりも浴槽側に突出させて設けたことを特徴とする浴槽取付構造。
【請求項２】
浴室壁面に弾接する壁面弾接部を、前記係止具弾接部の上方にも連続させて設け、
前記係止具弾接部を、前記係止具弾接部の上方の前記壁面弾接部よりも浴槽側に突出させて設けたことを特徴とする請求項１に記載の浴槽取付構造。
【発明の詳細な説明】
【技術分野】
【０００１】
本発明は、浴槽を浴室壁面に取り付ける浴槽取付構造に関するものである。
【背景技術】
【０００２】
一般的に、浴槽３は、図３（ｂ）に示すように、浴室奥側の、三方向が浴室壁面１で囲まれた部分に、そのスペースいっぱいに設けられる。このように浴槽３を浴室壁面１に取り付ける浴槽取付構造として、例えば、図３（ａ）に示す浴槽取付構造が提案されている（特許文献１参照）。
【０００３】
この浴槽取付構造では、浴槽３は、以下のようにして浴室壁面１に取り付けられる。
【０００４】
まず、浴室奥側の浴室壁面１の所定の位置に、取付具６をねじで固定する。このとき、取付具６の上端部と浴室壁面１との間に上方に向けて開口する隙間７が形成される。次いで、浴室奥側と浴室手前側の浴槽フランジ３０，３０をそれぞれ持って、浴室奥側の、三方向が浴室壁面１で囲まれた部分まで浴槽３を運び、隙間７の上方に、浴槽フランジ３０の端縁から垂下した垂下片３２を位置させる。そして、この隙間７に垂下片３２を上方から差し込む。
【先行技術文献】
【特許文献】
【０００５】
【特許文献１】特開２００１−３２１２８３号公報
【発明の概要】
【発明が解決しようとする課題】
【０００６】
上述のように、浴槽３を浴室壁面１に取り付けるには以下の問題がある。
【０００７】
すなわち、大きくて重い浴槽３全体を持ち上げて、隙間７の上方に垂下片３２を位置させるのは、大変力の要る作業である。しかも、隙間７の上方に垂下片３２を位置させた状態では、浴室奥側の浴室壁面１と浴槽フランジ３０との間には、ほとんど隙間がなく、この状態で、浴槽フランジ３０を持ち上げておくことは困難である。
【０００８】
また、この状態では、浴室奥側の浴室壁面１と浴槽フランジ３０との間に、隙間７に垂下片３２を差し込むための施工スペースを確保することも困難である。なお、側方の浴室壁面１と浴槽フランジ３０との間にも、ほとんど隙間がなく、この側方の一対の浴槽フランジ３０，３０をそれぞれ持って、隙間７の上方に垂下片３２を位置させることも困難である。
【０００９】
そこで、上記事情を鑑みて、本発明は、浴槽の一部を床面に設置したまま、浴槽を浴室壁面に取り付ける施工を行うことができ、この施工を行うためのスペースも十分に確保することができて、取付性が向上した浴槽取付構造を提案することを課題とする。
【課題を解決するための手段】
【００１０】
上記課題を解決するための本発明は、浴室壁面に固定した係止具に、浴槽フランジの裏側に取り付けた浴槽取付具を差し込んで係止させる浴槽取付構造であって、前記係止具は、固定される前記浴室壁面との間に前記浴槽取付具を差し込むための差込用隙間が形成される取付具押さえ部を備え、前記浴槽取付具は、前記浴槽フランジの前記裏側に取り付ける取付部と、前記係止具が差し込まれるように下方に開口した差込溝と、前記係止具の前記取付具押さえ部に弾接する係止具弾接部と、前記浴室壁面に弾接する壁面弾接部と、を備え、前記壁面弾接部を、前記係止具弾接部の下方に連続させて設け、前記係止具弾接部を、前記壁面弾接部よりも浴槽側に突出させて設けたことを特徴とする。
【００１１】
また、浴室壁面に弾接する壁面弾接部を、前記係止具弾接部の上方にも連続させて設け、前記係止具弾接部を、前記係止具弾接部の上方の前記壁面弾接部よりも浴槽側に突出させて設けることが好ましい。
【発明の効果】
【００１２】
本発明の浴槽取付構造は、浴槽の一部を床面に設置したまま、浴槽を浴室壁面に取り付ける施工を行うことができ、この施工をするためのスペースも十分に確保することができて、取付性が向上したものとなっている。
【図面の簡単な説明】
【００１３】
【図１】本発明の実施形態の浴槽取付構造を示す側面断面図であり、（ａ）は取り付け前の状態であり、（ｂ）は取り付け後の状態である。
【図２】同上の浴槽取付構造の浴槽取付具を示す斜視図である。
【図３】従来の浴槽取付構造の取り付け後の状態を示し、（ａ）は要部の側面断面図であり、（ｂ）は全体斜視図である。
【発明を実施するための形態】
【００１４】
以下、本発明を添付図面に示す実施形態に基づいて説明する。
【００１５】
本実施形態の浴槽取付構造は、浴室奥側の、三方向が浴室壁面１で囲まれた部分に、そのスペースいっぱいに浴槽３を設ける場合に（従来例の図３（ｂ）参照）、特に好適に用いられる浴槽取付構造である。
【００１６】
この浴槽取付構造は、図１（ｂ）に示すように、浴室壁面１に固定された係止具２に、浴槽フランジ３０の裏側に取り付けられた浴槽取付具４を差し込んで係止させることで、浴槽３を浴室壁面１に取り付けるものである。以下においては、図１（ｂ）に示すように浴槽３を浴室壁面１に取り付けた状態を基準とし、浴室壁面１から浴槽３に向かう方向（図１（ｂ）の右方向）を前方とし、その反対方向（図１（ｂ）の左方向）を後方とする。そして、図１（ｂ）の奥側を左方向とし、図１（ｂ）の手前側を右方向とする。
【００１７】
浴槽３は、平面視略長方形状であって（従来例の図３（ｂ）参照）、容器状の浴槽本体３１と、その浴槽本体３１の上端周縁から外方に向けて水平に延びる浴槽フランジ３０とからなる。浴槽フランジ３０の外端縁全周からは垂下片３２が垂下している。そして、浴槽フランジ３０の裏面３３の、垂下片３２から所定の距離を離れた位置には、この垂下片３２と平行な取付片３４が垂下している。この取付片３４と垂下片３２とで、浴槽フランジ３０の裏側に、浴槽取付具４を取り付けるための取付凹部３５が形成されている。
【００１８】
係止具２は、浴室壁面１に一端部が固定される軸部２１と、その軸部２１の他端部（先端部）に形成された取付具押さえ部２０から構成される。本実施形態では、軸部２１と取付具押さえ部２０は同軸の円柱状で、取付具押さえ部２０は、軸部２１よりも大径のものとなっている。なお、取付具押さえ部２０が軸部２１より少なくとも左右方向に大きければ、軸部２１と取付具押さえ部２０は他の形状であってもかまわない。係止具２は、軸部２１の一端部が浴室壁面１に固定されると、取付具押さえ部２０と浴室壁面１との間に、浴槽取付具４を斜め上方から差し込むための差込用隙間５が形成される（図１（ａ）参照）。
【００１９】
図２に示す浴槽取付具４は、１枚の板を複数回折り曲げて形成したような形状になっている。詳しくは、浴槽取付具４は、その上端部に、取付部４０を備える。取付部４０は、浴槽フランジ３０の裏側の取付凹部３５に嵌め込まれる。なお、取付部４０は、この取付凹部３５に接着材やねじ等により固定されてもよい。また、取付部４０は、浴槽フランジ３０の裏面３３に直接固定されるものであってもよい。
【００２０】
そして、この取付部４０の下方、すなわち、浴槽取付具４の中央部から下端部には、壁面弾接部４３と、係止具弾接部４２と、壁面弾接部４３が、上からこの順番に連続して形成されている。以下、この係止具弾接部４２の上方の壁面弾接部４３を、上方壁面弾接部４３といい、係止具弾接部４２の下方の壁面弾接部４３を、下方壁面弾接部４３という。なお、取付部４０と上方壁面弾接部４３は、前後方向に延びる連結部４５を介して連続している。係止具２に浴槽取付具４を差し込んで係止させた状態で、係止具弾接部４２は、係止具２の取付具押さえ部２０に弾接し、上方壁面弾接部４３は、係止具２の上方で浴室壁面１に弾接し、下方壁面弾接部４３は、係止具２の下方で浴室壁面１に弾接する。
【００２１】
本実施形態では、図２に示すように、係止具弾接部４２が、前後位置が互いに同じ上方壁面弾接部４３と下方壁面弾接部４３よりも前方（浴槽３側）に突出している。なお、係止具弾接部４２の前面（浴槽３側の面）と、上方壁面弾接部４３及び下方壁面弾接部４３の後面（浴室壁面１側の面）との間の距離は、上述の差込用隙間５の前後方向の長さと同じか、または、それよりも長くなるように形成されている。
【００２２】
係止具弾接部４２の上部には、上方後方に向けて傾斜し、上方壁面弾接部４３に連続する傾斜部４４（以下、この傾斜部４４を上方傾斜部４４という）を備える。そして、係止具弾接部４２の下部には、下方後方に向けて傾斜し、下方壁面弾接部４３に連続する傾斜部４４（以下、この傾斜部４４を下方傾斜部４４という）を備える。この上方及び下方傾斜部４４，４４によって、係止具弾接部４２と上方及び下方壁面弾接部４３，４３には、前後方向への弾性が与えられる。なお、係止具弾接部４２は、その全体形状が円弧状で、且つ前後方向への弾性を備えるものであってもよい。
【００２３】
そして、図２に示すように、係止具弾接部４２の上端から下方壁面弾接部４３の下端にかけて、その左右方向の中央部に、下方に向けて開口する差込溝４１が設けてある。この差込溝４１は、この左右方向の中央部を、前後方向に貫通させて設けたものである。差込溝４１は、係止具２の軸部２１が差し込まれる部分である。差込溝４１の左右方向の溝幅は、係止具２の軸部２１の径と同じか、またはそれより若干広く形成されている。差込溝４１の下端部の開口部分は、下方ほど左右方向の溝幅が広くなっている。
【００２４】
なお、本実施形態では、係止具２の軸部２１が係止具弾接部４２の上方傾斜部４４の上端から係止具弾接部４２の下方傾斜部４４の下端の間にあるとき、浴槽取付具４は係止具２に係止された状態となる。
【００２５】
上述した構成の本実施形態の浴槽取付構造では、例えば、以下のようにして、浴槽３を浴室壁面１に取り付ける。
【００２６】
まず、三方向を囲む３枚の浴室壁面１のうち（従来例の図３（ｂ）参照）、浴室奥側の浴室壁面１の所定の位置（浴槽フランジ３０に取り付ける浴槽取付具４の係止具弾接部４２に対応する上下位置）に係止具２の軸部２１の一端を固定する。このとき、係止具２の取付具押さえ部２０と、浴室壁面１の間に、差込用隙間５が形成される。次いで、浴槽フランジ３０裏側の取付凹部３５のうち、浴室壁面１に固定した係止具２に対応する左右位置に浴槽取付具４の取付部４０を嵌め込む。そして、浴槽３を浴室手前側に若干傾けた状態で、浴室奥側の、三方向が浴室壁面１で囲まれた部分（浴槽３を設置する予定の位置）に浴槽３の底部の手前側を載置する。そして、浴槽３の傾きを水平に戻す。
【００２７】
このとき、差込用隙間５に浴槽取付具４の下方壁面弾接部４３が斜め上方から差し込まれ、差込溝４１に係止具２の軸部２１が差し込まれていく。ここで、差込溝４１下端の開口部分は、下方ほど広く設けてあるので、係止具２の軸部２１は差込溝４１に差し込み易い。また、浴槽取付具４の下方壁面弾接部４３部分は、前後方向に幅狭であるので、差込用隙間５に斜め上方から差し込みやすい。また、浴槽取付具４は、前後方向への弾性を備えていることからも、差込用隙間５に斜め上方から差し込み易いものとなっている。
【００２８】
そして、係止具２の軸部２１が、下方傾斜部４４にさしかかると、この下方傾斜部４４がガイドになって、係止具２の軸部２１が差込溝４１の係止具弾接部４２部分までスムーズに差し込まれる。そして、係止具弾接部４２が係止具２の取付具押さえ部２０に弾接し、上方壁面弾接部４３及び下方壁面弾接部４３が浴室壁面１に弾接する。
【００２９】
この状態で、浴槽取付具４は係止具２に係止した状態、つまりは、浴槽３が浴室壁面１に取り付けられた状態となる。このとき、浴槽取付具４は浴室壁面１と係止具２の取付具押さえ部２０に弾接した状態となっているので、浴槽３は浴室壁面１に対して前後方向にずれ難い状態となっている。また、係止具２の軸部２１は、浴槽取付具４の差込溝４１内で左右方向への移動が規制された状態となっているので、浴槽３は浴室壁面１に対して左右方向にもずれ難い状態となっている。
【００３０】
ここで、浴槽取付具４は浴室壁面１と係止具２の取付具押さえ部２０の両方に弾接しているので、浴槽取付具４が上下に移動しようとすると、浴槽取付具４と浴室壁面１、及び浴槽取付具４と取付具押さえ部２０の間には、その移動を規制する方向に摩擦力が作用する。つまりは、浴槽３は浴室壁面１に対して上下方向にずれ難い状態となっている。
【００３１】
本実施形態では、浴槽取付具４は係止具２に係止した状態で、以上のように、浴槽３が浴室壁面１に対して前後左右上下の位置が位置決めされた状態となる。
【００３２】
そして、浴槽フランジ３０の垂下片３２と浴室壁面１との間に目地材（図示せず）を挿入して、垂下片３２の前後方向および上下方向への移動をさらに規制する。目地材を挿入することで、浴槽３は浴室壁面１に対してさらに前後方向及び上下方向にずれ難い状態となる。
【００３３】
なお、本実施形態の浴槽取付構造では、以下の作用効果がさらに得られる。
【００３４】
すなわち、製造誤差による浴槽フランジ３０の高さのバラつきについては、取付時に、浴槽取付具４の差込溝４１内の係止具２の上下位置を調整することで、許容できる。
【００３５】
また、浴槽３満水時の浴槽３の撓みについては、それに対応して、浴槽取付具４と浴室壁面１、及び、浴槽取付具４と係止具２の取付具押さえ部２０の間に、浴槽取付具４の上昇を規制する摩擦力が発生する。そのため、浴槽３満水時、浴槽フランジ３０が上昇することを抑制できる。
【００３６】
また、浴槽取付具４は、前後方向への弾性を備えているので、係止具２の取付具押さえ部２０と浴室壁面１の間の差込用隙間５が多少狭くても、浴槽取付具４を係止具２に係止させることができる。
【００３７】
以上まとめると、本実施形態の浴槽取付構造は、浴室壁面１に固定した係止具２に、浴槽フランジ３０の裏側に取り付けた浴槽取付具４を差し込んで係止させる浴槽取付構造である。係止具２は、固定される浴室壁面１との間に浴槽取付具４を差し込むための差込用隙間５が形成される取付具押さえ部２０を備える。浴槽取付具４は、浴槽フランジ３０の裏側に取り付ける取付部４０と、係止具２が差し込まれるように下方に開口した差込溝４１を備える。そしてさらに、係止具２の取付具押さえ部２０に弾接する係止具弾接部４２と、浴室壁面１に弾接する壁面弾接部４３を備える。そして、壁面弾接部４３を係止具弾接部４２の下方に連続させて設け、係止具弾接部４２を、係止具弾接部４２の下方の壁面弾接部４３よりも浴槽側に突出させて設けている。
【００３８】
このような構成とすることで、本実施形態の浴槽取付構造は、浴槽フランジ３０の裏側に取り付けた浴槽取付具４を浴室壁面１に固定した係止具２に斜め上方から差し込むことができる。よって、浴槽３の一部を床面に設置して浴槽３を傾けた状態から、水平な状態に戻すことで、浴室壁面１に浴槽３を取り付けることができる。つまり、本実施形態の浴槽取付構造は、従来例のように、大きくて重たい浴槽全体を持ち上げたまま、差し込み作業をしなくてもよい。また、浴槽の一部を床面に設置して浴槽３を傾けた状態では、浴槽フランジ３０とそれを取り付ける浴室壁面１との間に施工するためのスペースを十分に確保できる。以上のように、本実施形態の浴槽取付構造は、浴槽３の一部を床面に設置したまま、浴槽３を浴室壁面１に取り付ける施工を行うことができ、この施工をするためのスペースも十分に確保することができて、取付性の向上したものとなっている。
【００３９】
また、本実施形態の浴槽取付構造は、上述した構成に加えて、浴室壁面１に弾接する壁面弾接部４３を、係止具弾接部４２の上方にも連続させて設け、係止具弾接部４２を、係止具弾接部４２の上方の壁面弾接部４３よりも浴槽側に突出させて設けたものである。
【００４０】
このような構成とすることで、係止具弾接部４２を挟んで上下の壁面弾接部４３が、浴室壁面１に弾接する。よって、浴槽取付具４をより確実に浴室壁面１と係止具２の取付具押さえ部２０とに弾接させることができる。そのため、浴槽３を浴室壁面１により安定した状態で取り付けることができる。
【００４１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４２】
１      浴室壁面
２      係止具
２０    取付具押さえ部
３０    浴槽フランジ
４      浴槽取付具
４０    取付部
４１    差込溝
４２    係止具弾接部
４３    壁面弾接部
５      差込用隙間
【図１】
2012130485.tif 000003
【図２】
2012130485.tif 000004
【図３】
2012130485.tif 000005